【事件の表示】
　上記当事者間の特許第１９８８２３４号発明「殺菌剤組成物」の特許無効審判事件について、次のとおり審決する。
【結　論】
　訂正を認める。
　本件審判の請求は、成り立たない。
　審判費用は、請求人の負担とする。
【理　由】
１．手続きの経緯
　本件特許第１９８８２３４号に係る発明は、昭和６２年１２月１０日に特許出願され、出願公告（特公平７−２６４６号）後、平成７年１１月８日に特許権の設定登録がなされた。
　これに対して、平成１１年９月１３日に請求人により特許の無効の審判が請求され、被請求人は答弁書と同時に平成１２年１月２８日付けで訂正の請求書を提出して、明細書の訂正を請求した。請求人は、平成１２年１０月１３日付けで弁駁書を提出し、平成１２年１２月１５日に口頭審理が行われた。その後、平成１３年６月１２日付けで当審の職権審理による無効理由の通知がされ、被請求人は、指定された期間内である平成１３年６月２２日に、先の訂正請求を取り下げると共に、新たな訂正請求を行った。請求人は、これに対してさらに弁駁書を提出した。
　
２．当事者適格について
　被請求人は、請求人の当事者適格について争っているので、この点について検討する。
　請求人が提出した甲第２１号証である「ノバファーム社技術取締役、スチーヴェン・クリッツラー氏の2000年1月16日付宣誓供述書」の記載によれば、請求人 ノバファーム リサーチ（オーストラリア）ピーティワイ リミッテッドは、殺菌／消毒薬組成物及び化合物の製造に関するノウハウ及び特許権の所有者であり、ジョンソン エンド ジョンソン メディカル ディヴィジョン オブ エチコン インコーポレイテッドとの間で、日本を含む世界各国を対象地域として、前記ノウハウ及び特許権に関する実施契約を結んでいる者と認められる。すなわち、本件特許発明である「殺菌剤組成物」の技術分野と、請求人の行っている殺菌／消毒薬組成物及び化合物の製造に関する事業の技術分野は同一であることから、請求人は、本件特許の存否に利害関係を有しているものと認められる。
　
３．訂正請求について
（１）訂正の内容
訂正事項ａ
　特許請求の範囲第１項が「ポビドンヨード0.2〜30（w/v）％と、アニオン系界面活性剤0.025〜10（w/v）％と、溶媒とを含有していることを特徴とする、殺菌剤組成物。」とあるのを、「殺菌剤の有効成分としてポビドンヨード０．２〜３０（ｗ／ｖ）％のみと、ジオクチルソジウムスルホサクシネート及びポリオキシエチレンラウリルエーテル硫酸ナトリウムから選択された少なくとも１種類の物質からなるアニオン系界面活性剤０．０２５〜１０（ｗ／ｖ）％と、溶媒とからなる殺菌剤組成物。」と訂正する。
　
訂正事項ｂ
　特許請求の範囲第２項を削除する。
　
訂正事項ｃ
　明細書３頁１〜４行（公告公報２頁３欄３〜１１行参照）に「本発明による殺菌剤組成物は、ポビドンヨード0.2〜30（w/v）％と、アニオン系界面活性剤0.025〜10（w/v）％と、溶媒とを含有していることを特徴としている。本発明による殺菌剤組成物において、アニオン系界面活性剤としては、ジオクチルソジウムスルホサクシネート、ポリオキシエチレンラウリルエーテル硫酸ナトリウム、ラウリル硫酸ナトリウム等を例示することができ、これらは単独で使用され若しくは２種又はそれ以上を併用することができる。」とあるのを、「本発明による殺菌剤組成物は、殺菌剤の有効成分としてポビドンヨード０．２〜３０（ｗ／ｖ）％のみと、ジオクチルソジウムスルホサクシネート及びポリオキシエチレンラウリルエーテル硫酸ナトリウムから選択された少なくとも１種類の物質からなるアニオン系界面活性剤０．０２５〜１０（ｗ／ｖ）％と、溶媒とからなることを特徴としている。本発明による殺菌剤組成物において、アニオン系界面活性剤としては、ジオクチルソジウムスルホサクシネート及びポリオキシエチレンラウリルエーテル硫酸ナトリウムから選択された少なくとも１種類の物質が用いられる。」と訂正する。
　
訂正事項ｄ
　明細書６頁（公告公報２頁参照）の表１−ａにおける「成分」欄のアニオン系界面活性剤のうち、「ポリオキシラウリルエーテル硫酸ナトリウム」を「ポリオキシエチレンラウリルエーテル硫酸ナトリウム」と訂正する。
　
（２）訂正の適否
　訂正事項ａは、殺菌剤組成物中の殺菌剤としての成分を「ポビドンヨード」に限定し、殺菌剤組成物中に必須の成分として配合する「アニオン系界面活性剤」の種類を特許請求の範囲第２項に記載された「ジオクチルソジウムスルホサクシネート」、「ポリオキシエチレンラウリルエーテル硫酸ナトリウム」に限定するものであることから、特許請求の範囲の減縮を目的とするものであって、願書に添付した明細書（以下、特許明細書という）に記載した事項の範囲内のものである。
　
　訂正事項ｂは請求項を削除するものであるから、特許請求の範囲の減縮を目的とするものに該当する。
　
　訂正事項ｃは、特許請求の範囲の記載を訂正したことに伴って、発明の詳細な説明の欄の記載を整合させるものであり、明りょうでない記載の釈明を目的とするものであって、特許明細書に記載した事項の範囲内のものである。
　
　訂正事項ｄは、「ポリオキシラウリルエーテル硫酸ナトリウム」を「ポリオキシエチレンラウリルエーテル硫酸ナトリウム」と訂正するものであるが、「ポリオキシラウリルエーテル硫酸ナトリウム」というアニオン系界面活性剤が存在せず、特許明細書の記載全体から表１−ａ中の「ポリオキシラウリルエーテル硫酸ナトリウム」が「ポリオキシエチレンラウリルエーテル硫酸ナトリウム」の誤記であることは明らかであることから、本訂正は誤記の訂正を目的とするものであって、特許明細書に記載した事項の範囲内のものである。
　
　また、これらの訂正は、実質上特許請求の範囲を拡張し、又は変更するものでもない。
　
　さらに、後記「７．対比・判断」の項に記載したとおり、訂正後における特許請求の範囲に記載された発明は、特許出願の際独立して特許を受けることができるものである。
　
　したがって、上記訂正は、特許法等の一部を改正する法律（平成６年法律第１１６号）附則第６条第１項の規定によりなお従前の例によるとされる、平成６年法律１１６号による改正前の特許法第１３４条第２項ただし書並びに同条第５項において準用する同法第１２６条第２項及び第３項の規定に適合するので、訂正を認める。
　
４．本件特許発明の要旨
　本件特許発明の要旨は、訂正明細書の特許請求の範囲第１項に記載された次のとおりのものと認める。
「殺菌剤の有効成分としてポビドンヨード０．２〜３０（ｗ／ｖ）％のみと、ジオクチルソジウムスルホサクシネート及びポリオキシエチレンラウリルエーテル硫酸ナトリウムから選択された少なくとも１種類の物質からなるアニオン系界面活性剤０．０２５〜１０（ｗ／ｖ）％と、溶媒とからなる殺菌剤組成物。」（以下、本件発明という。）
　
５．請求人の主張の概要
　請求人は、「特許第１９８８２３４号特許を無効とする。審判費用は被請求人の負担とする。」との審決を求め、次の３つの無効理由を挙げて、本件特許は特許法第１２３条第１項第２号又は第４号の規定により無効とすべきである旨を主張している。
　
無効理由１
　本件発明は、甲第１号証、甲第２号証、甲第４号証、甲第５号証、甲第８号証に記載された発明であるから、特許法第２９条第１項第３号に掲げる発明に該当し、特許を受けることができない。
　
無効理由２
　本件発明は、甲第１乃至８号証に記載された発明に基いて、その出願前にその発明の属する技術の分野における通常の知識を有する者が容易に発明をすることができたものであるから、特許法第２９条第２項の規定により特許を受けることができない。
　
無効理由３
　本件明細書の発明の詳細な説明には、その発明の属する技術の分野における通常の知識を有する者が容易にその実施をすることができる程度に、その発明の目的、構成及び効果が記載されていないから、特許法第３６条第３項に規定する要件を満たしていない特許出願に対してされたものである。
　
６．甲第１乃至８号証の記載
甲第１号証（LAUTIER F., 'Iodinated antiseptics. dermal toxicity and
consequences of chronic cutaneous applications on the thyroid 
function in guinea-pigs.' In: Proceedings of the International 
Symposium on Povidone, University of Kentucky, College of Pharmacy,
Lexington, Kentucky, U.S.A., April 17-20, 1983, Edited by 
G. A. Digenis et al.: p. 326-333. (1983年9月28日　アメリカ合衆国、国会図書館受入れ)）
　甲第１号証の３３２頁２〜１４行には、
「Ａ．ヨウ素化した防腐剤の組成
ベタダイン スクラブ用市販溶液（Ref. 42741）
フランス メリニャック33701、ラドラトワール ザルゲ
　−ポビドンヨード　　　　　　　　　　　　　　　　　　　　4g
　−アルキルフェノキシポリエチレンエタンの硫酸エステル、
　　アンモニウム塩60%溶液　　　　　　　　　　　　　 　　 12.50g
　−ラウリル酸とジエタノールアミンの縮合物　　　　　　　　2g
　−苛性ソーダ−水溶液で　　　　　　　　　　　　　　　　100mlにする
　
ベタダイン スクラブ実験用溶液（Ref. 42859）
フランス メリニャック33701、ラドラトワール ザルゲ
　アルキルフェノキシポリエチレンエタンの硫酸エステル、アンモニウム塩60%溶液（12.50gの代わりに6gとする）以外は上記の組成物と同一の組成」
が記載されている。
　
甲第２号証（WINICOV M., 'New low iodine products based on stabilized
Povidone-iodine solution.' In: Proceedings of the 2nd International
Symposium on Povidone, University of Kentucky, College of Pharmacy,
Lexington, Kentucky, U.S.A., April 12-15, 1987, Edited by 
G. A. Digenis et al.: p. 57-64. (1987年8月13日　アメリカ合衆国、国会図書館受入れ)）
　甲第２号証の５８頁１６行〜５９頁２１行には「殺菌用手洗浄液」と題する事項が記載されており、その５９頁１〜１１行には「0.5％ポビドンヨード手洗浄液の典型的な処方」として：
「成分　　　　　　　　　　　　　量（％w/w）
　ポビドンヨード　　　　　 　　　0.50％
　アニオン洗剤1（100％基準）　　 3〜6％
　泡安定剤2　　　　　　　　　　　0〜3％
　緩衝剤3　　　　　　　　　　　　0.1〜1％
　粘度形成剤4　　　　　　　　　　0〜1％
　ヨウ素酸カリウム　　　　　　　 0.05〜0.20％
　水　　　　　　　　　　　　　　 100％にする
1. 典型的なアニオン洗剤はラウリル硫酸アンモニウム、硫酸化したアルキル エトキシレート及び硫酸化したノニルフェノール エトキシレートである。」
が記載されている。
　また、甲第２号証の６０頁１３〜２４行には、「5％ポビドンヨード外科用洗浄液の典型的な処方」として：
「成分　　　　　　　　　　　　　量（％w/w）
　ポビドンヨード　　　　　　　　　5.0％
　アニオン洗剤1（100％基準）　　　5〜15％
　非イオン洗剤2　　　　　　　　　 0〜10％
　泡安定剤3　　　　　　　　　　　 0〜4％
　緩衝剤4　　　　　　　　　　　　 0.1〜1％
　粘度形成剤5　　　　　　　　　　 0〜2％
　ヨウ素酸カリウム　　　　　　　　0.05〜0.25％
　水　　　　　　　　　　　　　　　100％にする
1. 典型的なアニオン洗剤は硫酸化したアルキル エトキシレート及び硫酸化したノニルフェノール エトキシレートを含む。」
が記載されている。
　
甲第３号証（後藤稠ほか編「最新医学大辞典」、医歯薬出版株式会社、1987年6月15日発行、1337頁、「防腐薬」の項）
　甲第３号証には、
「防腐薬　antiseptic　局所的感染薬
微生物の増殖を抑制する静菌作用あるいは死滅させる殺菌作用をもつ化学的物質で、主に生体の局所の感染に適用されるものをいう。…」と記載されている。
　
甲第４号証（米国特許第４,１３０,６４０号明細書）
　甲第４号証の「発明の要約」の項には「本発明は、半固体状の、新規な殺菌洗浄剤組成物に関するものであって、その殺菌作用は、ヨードホールまたは無機ヨウ素およびヨウ素化合物と洗浄作用をもつ成分との組み合わせに基づくものである。」（１欄５〜１０行）、「本発明の新規な組成物は、本質的に以下の組み合わせからなる：
(a)　少なくとも２０重量％の、炭素原子１４ないし２６個の脂肪族アルコールの硫酸エステル及び炭素原子１２ないし２４個の脂肪族アルコールのスルホサクシネートから選択された１種又は２種の化合物：
(b)　１ないし２０重量％の、有機ヨウ素複合体又は可溶化無機ヨウ素：
(c)　約１０重量％を超えない量の水
(d)　少なくとも約２０重量％の、炭素原子１４ないし２６個の飽和脂肪族アルコール、炭素原子１４ないし２０個の飽和脂肪酸、および炭素原子１０ないし２４個の脂肪族アルコールのサクシネート又はマレエートから選択された１種類又はそれ以上の化合物。好適なヨウ素化合物はヨードホールであり、例えば、ＰＶＰ−ヨード…である。」（１欄１９〜３６行）と記載されている。また、上記(a)成分の配合量に関しては、１欄下から５〜２行及び請求項１に２０〜７０重量％とも記載されている。
　さらに、甲第４号証には「スルホサクシネート及び（又は）サクシネートの存在は、本発明の新規な組成物の洗浄性を高め、そしてこの混合物の相乗的な性質によりその殺菌性を増加させる。」（１欄下から１３〜９行）、「スルホサクシネートは、下記式の、脂肪族アルコールのモノ-及び/又はジ-スルホ-サクシネートである。
…
Ｎａ−ＳＯ3−ＣＨ（ＣＯＯＲ1）−ＣＨ2−ＣＯＯＲ2　
式中、Ｒ1及びＲ2は、同一又は異なり、それぞれ、アルキル基又はアルコキシル化されたアルキル基を示す。」（２欄１２行〜下から３４行）、「…脂肪族アルコールのスルホサクシネートは…この新規な組成物に主要な洗浄性を添加する。」（２欄下から１２〜９行）と記載されている。
　
甲第５号証（国際公開第８６／０５３５９号パンフレット）
　甲第５号証の請求項１には「少なくとも１つのヨウ素複合体、少なくとも１つの残効性殺菌剤、及び薬学的、獣医学的又は農学的に利用可能なキャリア又は希釈剤を含む殺菌剤組成物。」と記載されており、また、その５頁下から１５〜１４行には「好ましい制菌剤の例としては2,4,4'-トリクロロ-2'-ヒドロキシジフェニル エーテル（トリクロサン）、…がある。」と、７頁１〜５行には「洗浄効果が必要な組成物に当該効果を付与する為に界面活性剤が用いられる場合、界面活性剤は飽和化合物であるのみならず…pH６未満の溶液中で安定である必要がある。」と記載されている。そして、その実施例５には
「外科手術前の皮膚洗浄及びシャワー製剤
　有効ヨウ素10.0％w/vを含有するポビドンヨード　　 10.0g
　非イオン界面活性剤　　　　　　　　　　　　　　　 5.0g
　ソジウム ラウリルエトキシサルフェート＊　　　　 30.0g
　椰子油ジエタノールアミド　　　　　　　　　　　　 2.0g
　プロピレングリコール　　　　　　　　　　　　　　10.0mL
　トリクロサン　　　　　　　　　　　　　　　　　　 1.0g
　リン酸を加えて　　　　　　　　　　　　　　　　 pH4.5にする
　水を加えて　　　　　　　　　　　　　　　　　　 100.0mLとする
　　＊（Albright＆Wilson社から入手できるEmpigen SQ25）」
と記載されている。
　
甲第６号証（AlbrightWilson 社の EMPIMIN (Alkyl ethoxysulphates)の製品説明書）
　甲第６号証には、EMPIMIN SQ25の化学名がソジウム アルキル エトキシサルフェートであり、CTFA名がSodium Laureth Sulphateであることが記載されている。
　
甲第７号証（日本公定書協会編「化粧品原料基準　第二版注解Ｉ」、薬事日報社、1984年、1057〜1059頁、「ポリオキシエチレンラウリルエーテル硫酸ナトリウム」の項）
　甲第７号証には、ポリオキシエチレンラウリルエーテル硫酸ナトリウムのCTFA名がSodium Laureth Sulfateであることが記載されている。
　
甲第８号証（米国特許第４,０２７,０８３号明細書）
　甲第８号証の１欄３〜７行には「本発明は、一般にPVP-Iと呼ばれ、その殺菌、殺細菌、殺かび及び消毒の性質により有用性が増大しているポリビニルピロリドンと元素状ヨウ素の反応生成物に関する。」と記載されており、また、その実施例１２には
「PVP-I溶液
　10.5％の有効ヨウ素含量を有する粉末状PVP-I1kgを、あらかじめ燐酸トリナトリウム60gを加えた水5リットルに溶解する。続いてラウリル硫酸ナトリウム20mlを加え、そして10リットルの容積にする。この溶液は1.0％の有効ヨウ素含量を有する。」と記載されている。
　
７．対比・判断
無効理由１について
　本件発明と甲第１号証に記載のものを対比する。
　甲第１号証には、溶液100ml中にポビドンヨード4g含有する防腐剤（ベタダイン スクラブ用市販溶液（Ref. 42741）及びベタダイン スクラブ実験用溶液（Ref. 42859））が記載されている。ここで、甲第３号証の記載を勘案すると、防腐剤と殺菌剤は実質的に同一の作用を有する薬剤であることから、甲第１号証には、ポビドンヨードを4(w/v)％を含有する殺菌剤組成物が記載されているものと認められる。
　そうすると、両者は、殺菌剤の有効成分としてポビドンヨード4（w/v）％のみを含有する殺菌剤組成物である点において一致し、本件発明は、ジオクチルソジウムスルホサクシネート及びポリオキシエチレンラウリルエーテル硫酸ナトリウムから選択された少なくとも１種類の物質からなるアニオン系界面活性剤0.025〜10（w/v）％を含有するものであるのに対して、甲第１号証に記載のものはアルキルフェノキシポリエチレンエタンの硫酸エステルを含有し、前述のジオクチルソジウムスルホサクシネート又はポリオキシエチレンラウリルエーテル硫酸ナトリウムを含有しない点において相違する。
　したがって、本件発明は甲第１号証に記載されたものではない。
　
　本件発明と甲第２号証に記載のものを対比する。
　甲第２号証には、ポビドンヨード0.50(w/w)％、典型的なアニオン洗剤として硫酸化したアルキル エトキシレート、すなわちポリオキシエチレンアルキルエーテル硫酸塩3〜6(w/w)％及びヨウ素酸カリウム0.05〜0.20(w/w)％を含有する殺菌用手洗浄液の処方、並びに、ポビドンヨード5.0(w/w)％、硫酸化したアルキル エトキシレート、すなわちポリオキシエチレンアルキルエーテル硫酸塩5〜15(w/w)％及びヨウ素酸カリウム0.05〜0.25(w/w)％を含有する外科用洗浄液の処方が記載されている。ここで、甲第２号証に記載された処方の濃度の単位は(w/w)％であるが、前記殺菌用手洗浄液又は外科用洗浄液の比重は１と大きく相違しないと考えられることから、これら処方の濃度の単位は(w/v)％にほぼ等しいものと認められ、また、これら殺菌剤組成物に含まれるヨウ素酸カリウムは、乙第６号証として提出された試験結果より殺菌成分と認められる。
　そうすると、両者は殺菌剤の有効成分としてポビドンヨード約0.5又は5(w/v)％と、アニオン系界面活性剤であるポリオキシエチレンアルキルエーテル硫酸塩約3〜6又は約5〜10(w/v)を含有する殺菌剤組成物である点において一致し、本件発明は、殺菌剤の有効成分としてポビドンヨードのみを含有し、かつ、アニオン系界面活性剤としてポリオキシエチレンラウリルエーテル硫酸ナトリウム、すなわち炭素原子数１２のラウリル基を有する物質を含有するものであるのに対して、甲第２号証に記載のものは、殺菌剤の有効成分としてポビドンヨードに加えてヨウ素酸カリウムを含有し、かつ、アニオン系界面活性剤として含有するポリオキシエチレンアルキルエーテル硫酸塩におけるアルキル基の炭素原子数に関する記載がない点において相違する。
　したがって、本件発明は甲第２号証に記載されたものではない。
　
　本件発明と甲第４号証に記載のものを対比する。
　甲第４号証には、脂肪族アルコールのスルホサクシネートは、下記式
Ｎａ−ＳＯ3−ＣＨ（ＣＯＯＲ1）−ＣＨ2−ＣＯＯＲ2　
式中、Ｒ1及びＲ2は、同一又は異なりアルキル基を示すものであると記載されている（第２欄１２行〜下から３４行）が、発明の要約、請求の範囲、第４欄における処方例の一覧表の記載をみると、甲第４号証に記載された発明において使用する脂肪族アルコールのスルホサクシネートにおける脂肪族アルコールの炭素原子数は１２ないし２４であると記載されていることから、甲第４号証には、ＰＶＰ−ヨード、すなわちポビドンヨードを1〜20重量％、炭素原子１２ないし２４個の脂肪族アルコールのスルホサクシネートを少なくとも20重量％含有する殺菌洗浄剤組成物が記載されているものと認められる。
　そうすると、両者は、殺菌剤の有効成分としてポビドンヨード約1〜20（w/v）％のみを含有する殺菌剤組成物である点において一致し、本件発明はジオクチルソジウムスルホサクシネート、すなわち炭素原子数８の脂肪族アルコールのスルホサクシネートを0.025〜10（w/v）％含有するものであるのに対して、甲第４号証に記載のものは炭素原子数１２ないし２４の脂肪族アルコールのスルホサクシネートを少なくとも20重量％含有し、炭素原子数８の脂肪族アルコールのスルホサクシネートを含有しない点において相違する。
　したがって、本件発明は甲第４号証に記載されたものではない。
　
　本件発明と甲第５号証に記載のものを対比する。
　甲第６号証及び甲第７号証の記載を総合すると、甲第５号証の実施例５に記載されたソジウム ラウリルエトキシサルフェートはポリオキシエチレンラウリルエーテル硫酸ナトリウムと認められるので、甲第５号証には、溶液100.0ml中に、ポビドンヨード10.0g、ポリオキシエチレンラウリルエーテル硫酸ナトリウム30.0g及びトリクロサン（制菌剤であり、甲第５号証の請求項１記載の残効性殺菌剤と認められる）1.0gを含有する殺菌剤組成物、すなわちポビドンヨード10.0（w/v）％、ポリオキシエチレンラウリルエーテル硫酸ナトリウム30.0（w/v）％及び残効性殺菌剤1.0（w/v）％を含有する殺菌剤組成物が記載されているものと認められる。
　そうすると、両者は、殺菌剤の有効成分としてポビドンヨード10.0（w/v）％と、ポリオキシエチレンラウリルエーテル硫酸ナトリウムを含有する殺菌剤組成物である点において一致し、本件発明は、殺菌剤の有効成分としてポビドンヨードのみを含有し、かつ、ポリオキシエチレンラウリルエーテル硫酸ナトリウムの配合量が0.025〜10（w/v）％であるのに対して、甲第５号証に記載のものは、殺菌剤の有効成分としてポビドンヨードに加えて他の殺菌剤である「トリクロサン」を含有し、かつ、ポリオキシエチレンラウリルエーテル硫酸ナトリウムの配合量が30.0（w/v）％である点において相違する。
　したがって、本件発明は甲第５号証に記載されたものではない。
　
　本件発明と甲第８号証に記載のものを対比する。
　甲第８号証には、PVP-I1kg、すなわちポビドンヨード10（w/v）％、ラウリル硫酸ナトリウム20ml、燐酸トリナトリウム60gに水を加えて10リットルとした殺菌剤溶液が記載されているものと認められる。
　そうすると、両者は、殺菌剤の有効成分としてポビドンヨード10（w/v）％のみを含有する殺菌剤組成物である点において一致し、本件発明は、ジオクチルソジウムスルホサクシネート及びポリオキシエチレンラウリルエーテル硫酸ナトリウムから選択された少なくとも１種類の物質からなるアニオン系界面活性剤0.025〜10（w/v）％を含有するものであるのに対して、甲第８号証に記載のものはラウリル硫酸ナトリウムを含有し、前述のジオクチルソジウムスルホサクシネート又はポリオキシエチレンラウリルエーテル硫酸ナトリウムを含有しない点において相違する。
　したがって、本件発明は甲第８号証に記載されたものではない。
　
無効理由２について
　本件発明と、甲第１号証、甲第２号証、甲第４号証、甲第５号証及び甲第８号証に記載のものは、上記「無効理由１について」の項で述べたとおりの相違点を有する。そこで、この相違点を検討する。
　ポビドンヨードを含有する殺菌剤組成物にアニオン系界面活性剤を配合する目的又は効果に関する甲第１乃至８号証の記載としては、上記に摘記したように甲第４号証に「脂肪族アルコールのスルホサクシネートは…この新規な組成物に主要な洗浄性を添加する。」と、甲第５号証に「洗浄効果が必要な組成物に当該効果を付与する為に界面活性剤が用いられる場合、…」と、いずれも組成物に洗浄作用を与える旨の記載があるのみであり、これら甲号証にはポビドンヨードとアニオン系界面活性剤を共存させると殺菌力が増強する点については何ら記載されていない。
　また、甲第２号証にはポリオキシエチレンアルキルエーテル硫酸塩を配合する殺菌剤組成物が、甲第５号証にはポリオキシエチレンラウリルエーテル硫酸ナトリウムを30.0(w/v)％配合する殺菌剤組成物は記載されているものの、甲第２号証及び甲第５号証に記載の組成物はいずれもポビドンヨードに加えて他の殺菌剤成分を含有するものである。そして、甲第２号証に記載のポビドンヨードを含有する殺菌剤は他の殺菌剤成分であるヨウ素酸塩により安定化されたもの、甲第５号証に記載の殺菌剤組成物は少なくとも１つの残効性殺菌剤を含有するものであることから、これらの他の殺菌剤成分はいずれも甲第２号証及び甲第５号証に記載の殺菌剤組成物において必須の成分と認められる。すると、これら甲号証に記載の組成物において必須の成分として配合された他の殺菌剤成分を除き、殺菌剤の有効成分としてポビドンヨードのみを含有する組成物を得ることは、甲第２号証及び甲第５号証の記載からは、当業者が容易に想到することができるものとは認められない。
　これに対して、本件発明は、殺菌剤の有効成分としてポビドンヨード0.2〜30（w/v）％のみを含有するものに、ジオクチルソジウムスルホサクシネート及びポリオキシエチレンラウリルエーテル硫酸ナトリウムから選択された少なくとも１種類の物質からなるアニオン系界面活性剤0.025〜10（w/v）％を共存させることにより、優れた殺菌力を有するものである。（訂正明細書２〜６頁の殺菌力試験例１〜３参照）
　そうしてみると、本件発明は、甲第１乃至８号証に記載された発明に基いて、その出願前に当業者が容易に発明をすることができたものとすることはできない。
　なお、請求人は甲第４号証には「スルホサクシネート…の存在は、本発明の新規な組成物の洗浄性を高め、そしてこの混合物の相乗的な性質によりその殺菌性を増加させる。」と記載されており、ポビドンヨードを含有する殺菌剤組成物に脂肪族スルホサクシネートを添加すると、殺菌剤組成物の洗浄性が高められると共に殺菌性が増加することが開示されている旨の主張を行っている。しかし、上記「無効理由１について」の項でも述べたように、本件発明におけるスルホサクシネートと甲第４号証に記載のスルホサクシネートは、スルホサクシネートを構成する脂肪族アルコールの炭素原子数及びスルホサクシネートの配合量において相違することから、甲第４号証の記載から、ポビドンヨード0.2〜30（w/v）％にジオクチルソジウムスルホサクシネート0.025〜10（w/v）％を共存させ、優れた殺菌力を有する殺菌剤組成物を想到することができたものとは認められない。
　
無効理由３について
　請求人は、ポリオキシエチレンラウリルエーテル硫酸ナトリウムをポビドンヨードと併用した場合に如何なる殺菌力が得られるかについて、本件特許明細書には何ら具体的な試験結果が示されていないので、本件明細書の発明の詳細な説明は特許法第３６条第３項に規定する要件を満たしていない旨の主張を行っている。
　しかし、訂正明細書２頁下から４行〜３頁下から３行には、ポリオキシエチレンラウリルエーテル硫酸ナトリウム1.0g及びポビドンヨード10gを含有する殺菌剤組成物（処方７）が記載されており、これらの殺菌剤組成物を試料とし殺菌力に関する試験（殺菌力試験例１）を行った旨が記載されている。
　また、本件明細書には「本発明の目的は、有用な殺菌性物質であるポビドンヨードの殺菌力を更に向上させることにある。本発明者等は上記の目的を達成するために鋭意研究を重ねた結果、アニオン系界面活性剤を共存させるとポビドンヨードの抗菌力が著しく増強するとの知見を得た。」（訂正明細書１頁下から７〜３行）、「本発明による殺菌剤組成物において、アニオン系界面活性剤としては、ジオクチルソジウムスルホサクシネート及びポリオキシエチレンラウリルエーテル硫酸ナトリウムから選択された少なくとも１種類の物質が用いられる。」（訂正明細書２頁１１〜１３行）と記載されており、ポリオキシエチレンラウリルエーテル硫酸ナトリウムは、本件発明におけるアニオン系界面活性剤の選択肢の１つとしてジオクチルソジウムスルホサクシネートと並列的に記載されている。すなわち、本件発明においては、ポリオキシエチレンラウリルエーテル硫酸ナトリウムはジオクチルソジウムスルホサクシネートと同じように作用し、同等の結果が得られるものとして認識されているものと認められる。そして、ジオクチルソジウムスルホサクシネートとポビドンヨードの併用した場合の殺菌力試験の結果については、表１−ｂ（訂正明細書４頁）にジオクチルソジウムスルホサクシネート1.0g及びポビドンヨード10gを含有する殺菌剤組成物の処方例（処方６）の試験結果が、表２−ｂ（訂正明細書５頁）にジオクチルソジウムスルホサクシネート0.25g、0.5g又は1.0g、及びポビドンヨード10gを含有する殺菌剤組成物の処方例（処方2-1、処方2-2、処方2-3）の試験結果が、表３−ｂ（訂正明細書６頁）にジオクチルソジウムスルホサクシネート0.025g及びポビドンヨード1gを含有する殺菌剤組成物の処方例（処方3-3）の試験結果がそれぞれ記載されている。
　このように、ポリオキシエチレンラウリルエーテル硫酸ナトリウムとポビドンヨードを併用した殺菌剤組成物は本件明細書に「処方７」として記載されており、その殺菌力試験の方法が記載されており（殺菌力試験例１の記載参照）、さらに、本件発明においてポリオキシエチレンラウリルエーテル硫酸ナトリウムと同じように作用し、同等の結果が得られるものとして認識されているジオクチルソジウムスルホサクシネートに関して、ポビドンヨードと併用した場合の殺菌力試験の結果が記載されていれば、当業者であれば、殺菌剤の有効成分としてポビドンヨードとポリオキシエチレンラウリルエーテル硫酸ナトリウムを含有する組成物の殺菌効果を追試することができるものと認められ、また、その結果に関しても、ジオクチルソジウムスルホサクシネートと併用した場合の効果の記載があれば、当業者が通常予想できるものと認められる。
　そうしてみると、ポリオキシエチレンラウリルエーテル硫酸ナトリウムをポビドンヨードと併用した場合の具体的な試験結果が明細書に記載されていなくとも、本件発明の詳細な説明の記載は、殺菌剤の有効成分としてポビドンヨードのみとポリオキシエチレンラウリルエーテル硫酸ナトリウムを含有する殺菌剤組成物について、当業者が容易にその実施をすることができる程度に、その発明の目的、構成及び効果が記載されているものと認められる。
　そして、乙第４号証として提出された「当社特許（特公平7-2646）に関する殺菌力試験４」における、ポリオキシエチレンラウリルエーテル硫酸ナトリウム1.0g及びポビドンヨード10gを含有する殺菌剤組成物の処方（処方４）の殺菌力試験の結果より、ポビドンヨードとポリオキシエチレンラウリルエーテル硫酸ナトリウムを併用した殺菌剤組成物が優れた殺菌効果を有することは確認できる。
　
８．むすび
　以上のとおりであるから、請求人の主張する理由及び提出した証拠方法によっては、本件特許を無効にすることはできない。
　
　審判に関する費用については、特許法第１６９条第２項の規定で準用する民事訴訟法第６１条の規定を適用して、請求人が負担すべきものとする。
　
　よって、結論のとおり審決する。